(57)【要約】【課題】番組コンテンツの快適な視聴を提供する。【解決手段】デジタル放送受信装置は、録画予約と、当該録画予約の対象となる番組データに対して行うチャプター分割の種別の選択と、を受け付ける受付手段と、前記録画予約を受け付けた前記番組データを、前記チャプター分割の種別に従って分割して録画する録画手段と、前記番組データの再生指示を受け付けた場合、当該番組データについて、前記チャプター分割の種別に対応付けられたチャプターで構成された映像を連続的に再生する再生手段と、を備えることを特徴とする。【選択図】図１
2011223471.tif 000002
【特許請求の範囲】
【請求項１】
録画予約と、当該録画予約の対象となる番組データに対して行うチャプター分割の種別の選択と、を受け付ける受付手段と、
前記録画予約を受け付けた前記番組データを、前記チャプター分割の種別に従って分割して録画する録画手段と、
前記番組データの再生指示を受け付けた場合、当該番組データについて、前記チャプター分割の種別に対応付けられたチャプターで構成された映像を連続的に再生する再生手段と、
を備えることを特徴とする放送録画装置。
【請求項２】
前記受付手段は、ＥＰＧ(Electronic  Program  Guide)からの番組予約を受け付けること、
を特徴とする請求項１に記載の放送録画装置。
【請求項３】
前記チャプター分割の種別は、番組データのチャプターとして本編、音楽、又はシーンのうちいずれか一つ以上を含んでいること、
を特徴とする請求項１又は２に記載の放送録画装置。
【請求項４】
前記チャプター分割の種別が判別可能なアイコンを、前記番組データと対応付けた番組一覧情報を表示する表示手段を、さらに備えること、
を特徴とする請求項１乃至３のいずれか一つに記載の放送録画装置。
【請求項５】
前記再生手段は、さらに、前記番組データについて、前記チャプター分割の種別に従って再生するか否かの切り替えが可能であること、
を特徴とする請求項１乃至４のいずれか一つに記載の放送録画装置。
【請求項６】
受付手段が、録画予約と、当該録画予約の対象となる番組データに対して行うチャプター分割の種別の選択と、を受け付ける受付ステップと、
録画手段が、前記録画予約を受け付けた前記番組データを、前記チャプター分割の種別に従って分割して録画する録画ステップと、
再生手段が、前記番組データの再生指示を受け付けた場合、当該番組データについて、前記チャプター分割の種別に対応付けられたチャプターで構成された映像を連続的に再生する再生ステップと、
を含むことを特徴とする放送録画方法。
【請求項７】
録画予約と、当該録画予約の対象となる番組データに対して行うチャプター分割の種別の選択と、を受け付ける受付ステップと、
前記録画予約を受け付けた前記番組データを、前記チャプター分割の種別に従って分割して録画する録画ステップと、
前記番組データの再生指示を受け付けた場合、当該番組データについて、前記チャプター分割の種別に対応付けられたチャプターで構成された映像を連続的に再生する再生ステップと、
をコンピュータに実行させるための放送録画プログラム。
【発明の詳細な説明】
【技術分野】
【０００１】
本発明の実施形態は、放送録画装置、方法及びプログラムに関する。
【背景技術】
【０００２】
従来から、テレビジョン放送信号の再生を行うために、記憶装置に格納する技術が提案されている。このテレビジョン放送信号においては、番組コンテンツの境界又は途中にＣＭが含められている。さらには、同一の番組コンテンツ内において、状況が異なるシーンに切り替わることがある。
【０００３】
ユーザは、このテレビジョン放送信号の番組コンテンツ内において、所望するシーンのみ参照したいという要求がある。そこで、記録装置に記録された番組コンテンツに対して、チャプター分割する技術が提案されている。そして、ユーザは、分割されたチャプターのうち、所望するチャプターのみ再生を行うことで、所望するシーンのみを再生することができる。
【先行技術文献】
【特許文献】
【０００４】
【特許文献１】特開２００８−３０１０７０号公報
【発明の概要】
【発明が解決しようとする課題】
【０００５】
しかしながら、記録装置に記録した後に番組コンテンツのチャプター分割を行う操作が必要である。このため、ユーザが参照しようとしても、分割操作を行っていない場合には、当然ながらチャプター分割された番組コンテンツを参照できない場合がある。
【０００６】
本発明は、上記に鑑みてなされたものであって、番組コンテンツの快適な視聴を提供する放送録画装置、その方法及びプログラムを提案する。
【課題を解決するための手段】
【０００７】
上述した課題を解決し、目的を達成するために、実施形態の放送録画装置は、録画予約と、当該録画予約の対象となる番組データに対して行うチャプター分割の種別の選択と、を受け付ける受付手段と、前記録画予約を受け付けた前記番組データを、前記チャプター分割の種別に従って分割して録画する録画手段と、前記番組データの再生指示を受け付けた場合、当該番組データについて、前記チャプター分割の種別に対応付けられたチャプターで構成された映像を連続的に再生する再生手段と、を備えることを特徴とする。
【図面の簡単な説明】
【０００８】
【図１】図１は、実施形態のデジタル放送受信装置の主要な信号処理系を示すブロック図である。
【図２】図２は、実施形態にかかる、デジタル放送受信装置が受信したデジタル放送信号の番組コンテンツを分割した例を示した図である。
【図３】図３は、実施形態にかかる、デジタル放送受信装置が受信したデジタル放送信号の番組コンテンツのうち、音楽番組コンテンツを分割した例を示した図である。
【図４】図４は、実施形態にかかる、デジタル放送受信装置が受信したデジタル放送信号の番組コンテンツのうち、ニュース番組コンテンツを分割した例を示した図である。
【図５】図５は、実施形態のデジタル放送受信装置が表示する録画設定画面の例を示す図である。
【図６】図６は、実施形態の記録装置内の、番組コンテンツのチャプターと、各チャプターを示すラベルと、を管理するテーブル構造の例を示した図である。
【図７】図７は、実施形態の表示制御部が表示する番組コンテンツの一覧画面の例を示した図である。
【図８】図８は、実施形態の表示制御部が表示するチャプター一覧画面を示した図である。
【図９】図９は、実施形態の再生部が、チャプター分割された番組コンテンツに対して、通常通りの再生を行った場合の画面例を示した図である。
【図１０】図１０は、実施形態の再生部が、「ＣＭ」と「重複」以外のチャプターのみ再生を行った場合の画面例を示した図である。
【図１１】図１１は、実施形態の再生部が、ラベルとして「音楽」が付与されたチャプターのみ再生を行った場合の画面例を示した図である。
【図１２】図１２は、実施形態の再生部による番組コンテンツの再生中に、チャプターの分割、及びチャプターの結合の操作を、受付制御部が受け付ける例を示した図である。
【図１３】図１３は、実施形態の表示制御部が表示するチャプター編集画面の例を示した図である。
【図１４】図１４は、実施形態のデジタル放送受信装置における、放送信号受信時の処理の手順を示すフローチャートである。
【図１５】図１５は、実施形態のデジタル放送受信装置における、番組コンテンツの再生処理の手順を示すフローチャートである。
【発明を実施するための形態】
【０００９】
以下に添付図面を参照して、この発明にかかる放送録画装置、その方法及びプログラムの最良な実施の形態を詳細に説明する。本実施の形態は放送録画装置としてデジタル放送受信装置を適用した例である。
【００１０】
まず、図１を用いて、本実施の形態にかかるデジタル放送受信装置１００のハードウェア構成について説明する。図１は、本実施の形態にかかるデジタル放送受信装置１００の主要な信号処理系を示すブロック図である。
【００１１】
入力端子１２８には、ＢＳ／ＣＳデジタル放送受信アンテナ１０１が捕らえた衛星デジタル放送信号が入力される。そして、ＢＳ／ＣＳデジタル放送受信用のアンテナ１０１で捕らえた衛星デジタルテレビジョン放送信号は、入力端子１２８を介して衛星デジタル放送用のチューナ１０２に供給される。
【００１２】
チューナ１０２は、入力端子１２８から供給される衛星デジタルテレビジョン放送信号から所望のチャンネルの放送信号を選局して受信する。そして、チューナ１０２は、受信した放送信号をＰＳＫ（Phase  Shift  Keying）復調器１０３に出力する。
【００１３】
ＰＳＫ復調器１０３は、チューナ１０２から出力された放送信号を復調し、所望の番組を含んだＴＳ（Transport  Stream）を得て、ＴＳ復号器１０４に出力する。
【００１４】
ＴＳ復号器１０４は、ＰＳＫ復調器１０３から出力されたＴＳに多重化された信号のＴＳ復号処理を行い、所望の番組のデジタルの映像信号および音声信号をパケットに分解することにより得たＰＥＳ（Packetized  Elementary  Stream）を信号処理部１０５内のＳＴＤ（System  Target  Decoder）バッファ（図示しない）に出力する。また、ＴＳ復号器１０４は、デジタル放送により送られているセクション情報を、ＰＳＫ復調器１０３から出力されたＴＳから得て、信号処理部１０５内のセクション処理部（図示しない）へ出力する。
【００１５】
一方、入力端子１２９には、地上波放送受信用のアンテナ１０６が捕らえた地上デジタルテレビジョン放送信号が入力される。そして、地上波放送受信用のアンテナ１０６が捕らえた地上デジタルテレビジョン放送信号は、入力端子１２９を介して地上デジタル放送用のチューナ１０７に供給される。
【００１６】
チューナ１０７は、入力端子１２９から供給される地上デジタルテレビジョン放送信号から所望のチャンネルの放送信号を選局して受信し、受信した放送信号をＯＦＤＭ（Orthogonal  Frequency  Division  Multiplexing）復調器１０８に出力する。
【００１７】
ＯＦＤＭ復調器１０８は、チューナ１０７から出力された放送信号を復調し、所望の番組を含んだＴＳを得て、ＴＳ復号器１０９に出力する。
【００１８】
ＴＳ復号器１０９は、ＯＦＤＭ復調器１０８から出力されたＴＳに多重化された信号のＴＳ復号処理を行い、所望の番組のデジタルの映像信号および音声信号をパケットに分解することにより得たＰＥＳを信号処理部１０５内のＳＴＤバッファ（図示しない）へ出力する。また、ＴＳ復号器１０９は、デジタル放送により送られているセクション情報を、ＯＦＤＭ復調器１０８から出力されたＴＳから得て、信号処理部１０５内のセクション処理部（図示しない）へ出力する。
【００１９】
信号処理部１０５は、テレビ視聴時には、ＴＳ復号器１０４、１０９から出力され、ＳＴＤバッファに記憶された音声信号および映像信号に対して、選択的に所定のデジタル信号処理を実施し、選択的に所定のデジタル信号処理を実施した音声信号および映像信号をそれぞれ音声処理部１１０およびグラフィック処理部１１３に出力している。一方、信号処理部１０５は、番組録画時には、ＴＳ復号器１０４、１０９から出力されＳＴＤバッファに記憶された音声信号および映像信号に対して、選択的に所定のデジタル信号処理を実施する。そして、ＣＰＵ１３０が、選択的に所定のデジタル信号処理を実施した音声信号および映像信号を、バス１２７を介して記録装置（例えば、ＨＤＤ：Hard  Disk  Driveなど）１２５に記録する制御を行う。その際に、ＣＰＵ１３０は、後述するチャプター分割などの制御も行う。
【００２０】
また、録画番組再生時には、ＣＰＵ１３０により記録装置１２５から番組コンテンツが読み出された後、信号処理部１０５が、入力された信号に所定のデジタル信号処理を実施し、所定のデジタル信号処理を実施した音声信号および映像信号を音声処理部１１０およびグラフィック処理部１１３に出力する。
【００２１】
セクション処理部は、ＴＳ復号器１０４，１０９から入力されたセクション情報の中から、番組を取得するための各種データ（例えば、チャンネル番号など）や電子番組ガイド（ＥＰＧ：Electronic  Program  Guide）情報、番組属性情報（番組ジャンルなど）、映像，音声，字幕情報等のＳＩ（Service  Information）をＣＰＵ１３０に出力する。
【００２２】
グラフィック処理部１１３は、（１）信号処理部１０５内のＡＶデコーダ（図示しない）から供給されるデジタルの映像信号と、（２）ＯＳＤ（On  Screen  Display）信号生成部１１４で生成されるＯＳＤ信号と、（３）データ放送による画像データと、（４）ＣＰＵ１３０により生成されたＥＰＧ情報、映像ＥＳ（Elementary  Stream）、字幕信号と、を合成して映像処理部１１５に出力する。また、グラフィック処理部１１３は、字幕放送による字幕を放送する際、ＣＰＵ１３０からの制御による字幕情報に基づいて、映像信号上に字幕情報を重畳して映像処理部１１５に出力する。
【００２３】
映像処理部１１５は、グラフィック処理部１１３から出力されたデジタルの映像信号を、液晶ディスプレイなどの映像表示器１１６で表示可能なフォーマットのアナログ映像信号に変換した後、映像表示器１１６に出力する。また、映像処理部１１５は、アナログ映像信号を、出力端子１１７を介して外部に導出する。
【００２４】
音声処理部１１０は、信号処理部１０５から出力されたデジタルの音声信号をスピーカ１１１で再生可能なフォーマットのアナログ音声信号に変換した後、スピーカ１１１に出力する。また、音声処理部１１０は、アナログ音声信号を、出力端子１１２を介して外部に導出する。
【００２５】
ＣＰＵ１３０は、バス１２７を介して、放送信号の受信動作を含むデジタル放送受信装置１００の動作を統括的に制御する。例えば、ＣＰＵ１３０は、バス１２７を介して、操作部１２１からの操作情報を受け付ける。また、ＣＰＵ１３０は、リモートコントローラ１２３から送出された操作情報を、受光部１２２とバス１２７を介して受信し、その操作内容が反映されるように各部をそれぞれ制御している。
【００２６】
ＣＰＵ１３０は、ＲＯＭ１１８に格納された（図示しない）放送録画プログラムを読み込み、ＲＡＭ１１９を作業領域として用いることで、受付制御部１３１と、分割部１３２と、ジャンル取得部１３３と、ラベル付与部１３４と、記録部１３５と、再生部１３６と、表示制御部１３７と、をソフトウェアの機能として実現する。なお、これら機能は、ソフトウェアによる機能で実現することに制限するものではなく、ハードウェアコーディングで実現してもよい。
【００２７】
そして、本実施の形態にかかるデジタル放送受信装置１００においては、記録装置１２５に記録する前に、分割部１３２がデジタル放送信号をチャプター分割する。そして、ラベル付与部１３４が、分割されたチャプターに対して、ラベルを付与する。
【００２８】
本実施の形態にかかるデジタル放送受信装置１００では、各チャプターに対して、「本編」、「ＣＭ」、「中継」、「音楽」等のラベルを付与する。これにより、再生部１３６が、記録装置１２５に記録された番組コンテンツを再生する際に、付与されたラベルを基準として抽出されたチャプターのみを効率的に再生することを可能とする。
【００２９】
図２は、受信したデジタル放送信号の番組コンテンツを分割した例を示した図である。図２に示す例では、デジタル放送受信装置１００において、分割部１３２が、通常の番組コンテンツを、「本編」と、「ＣＭ」と、にチャプター分割し、ラベル付与部１３４が、各チャプターに対してラベリングを行う。これにより、番組コンテンツを再生する際に、「本編」のみの連続再生、又は「ＣＭ」のみの連続再生が可能となる。なお、受信した番組がどのような番組（通常の番組）であるかは、予めＥＰＧ等によりジャンル取得部１３３が取得しておく。
【００３０】
図３は、受信したデジタル放送信号のうち、音楽番組コンテンツを分割した例を示した図である。図３に示すように、デジタル放送受信装置１００において、分割部１３２が、音楽番組コンテンツに対して、「音楽」と、「中継」と、（図示しない）「ＣＭ」と、にチャプター分割し、ラベル付与部１３４が、各チャプターに対してラベリングを行う。なお、受信した番組が音楽番組であるか否かは、予めＥＰＧ等によりジャンル取得部１３３が取得しておく。
【００３１】
例えば、デジタル放送受信装置１００においては、検出部１３８が、音楽番組コンテンツでは、映像中の音楽を検出し、分割部１３２が、音楽開始と音楽終了とでチャプター分割を行い、ラベル付与部１３４が、音楽開始から音楽終了までを「音楽」としてラベル付与する。また、それ以外のシーンを「中継」としてラベル付与する。これにより、コンテンツ再生時に、音楽のみの連続再生、または中継、曲名、歌手やエピソード紹介などに代表される音楽以外のシーンの連続再生ができる。
【００３２】
図４は、受信したデジタル放送信号のうち、ニュース番組コンテンツを分割した例を示した図である。図４に示すように、デジタル放送受信装置１００において、分割部１３２が、ニュース番組コンテンツに対して、「ニュース」と、「中継」と、（図示しない）「ＣＭ」と、にチャプター分割する。なお、ニュース番組の場合には、ラベリングせず、チャプター分割だけとする。
【００３３】
受付制御部１３１は、操作部１２１からの操作情報を受け付ける。この操作情報としては、例えば、放送信号による番組コンテンツの録画予約や、当該録画予約の対象となる番組コンテンツのチャプター分割の種別などがある。また、受付制御部１３１は、番組コンテンツの録画予約を受け付ける際、ＥＰＣ(Electronic  Program  Guide)からの番組予約を受け付ける。図５は、デジタル放送受信装置１００が表示する録画設定画面の例を示す図である。
【００３４】
図５に示す録画設定画面においては、ＥＰＧから取得したタイトル５０２と、ジャンル５０３と、を表示する。さらに、録画設定画面においては、自動チャプター分割５０１において、受付制御部１３１が、自動チャプター分割の操作情報を受け付ける。自動チャプター分割の種別としては、「自動」、「本編」、「シーン」、「ＯＦＦ」等がある。また、受付制御部１３１は、ジャンル５０３が音楽の場合には、自動チャプター分割の種別として「音楽」等を受け付ける。「自動」は、内容に応じて自動的にラベリング（例えば、「本編」、「音楽」、「中継」、「重複」又は「ＣＭ」などのラベル付与）を行う。「本編」は、「本編」又は「ＣＭ」のラベリングが行われる。「音楽」は、「音楽」、「中継」、又は「ＣＭ」のラベリングが行われる。「シーン」は、「ニュース」、「中継」、「ＣＭ」のラベリングが行われる。
【００３５】
このように、本実施の形態においては、受信した番組コンテンツに対して、チャプター分割を行った後に録画している。つまり、従来においては、記録装置に記録された番組コンテンツに対して、ユーザからチャプター分割の操作を受け付けた後に、チャプター分割を行っていた。これに対し、本実施の形態においては、受信時にチャプター分割を行うこととした。
【００３６】
これにより、ユーザが、記録装置１２５に記録された番組コンテンツの所望するシーンのみ参照したい場合には、すでにチャプター分割がなされていることになる。このため、記録装置１２５に記録された番組コンテンツについてチャプター分割を行うための操作負担の軽減と、従来のチャプター分割が行われるまでの待機時間を削減できる。つまり、ユーザが参照したいときには、すぐに参照できるため、利便性が向上する。
【００３７】
分割部１３２は、検出部１３８を備え、デジタル放送信号から得られる番組コンテンツを解析し、該番組コンテンツを、受付制御部１３１が受け付けたチャプター分割の種別に従って複数のチャプターに自動分割する。本実施の形態にかかる分割部１３２は、受付制御部１３１が録画設定画面で、チャプター分割の種別の設定がなされた場合に、チューナ１０２、１０７により受信され、信号処理部１０５で処理がなされた後の、番組コンテンツ（音声信号および映像信号）に対して、設定されたチャプター分割の種別に従ってチャプター分割を行う。
【００３８】
検出部１３８は、受信した番組コンテンツにおける、変わり目となるシーンを検出する。シーンの検出手法としては、周知の手法を問わず、あらゆる手法を用いてよい。
【００３９】
この自動チャプター分割では、例えば、選択されたチャプター分割の種別が「本編」の場合、検出部１３８は、映像信号のシーンの変わり目（例えば本編とＣＭ）の切り替わった位置を自動的に検出し、分割部１３２が、検出した位置に従ってチャプター分割を自動的に行う。他の例としては、番組コンテンツのジャンルが音楽の場合、分割部１３２は、音楽のシーンと、それ以外の中継のシーンと、に分割する。
【００４０】
例えば、番組コンテンツでジャンルが「音楽」であって、選択されたチャプター分割の種別も「音楽」の場合、検出部１３８は、放送信号に含まれている音楽信号から、楽曲を検出することで、シーンの変わり目を検出する。そして、分割部１３２が、楽曲が検出されたシーンを「音楽」のチャプターとして分割し、それ以外のシーンを「中継」のチャプターとして分割する。
【００４１】
ジャンル取得部１３３は、放送信号から得られる番組コンテンツのジャンルを取得する。本実施の形態では、ジャンル取得部１３３は、ＥＰＧから各番組のジャンルを取得する。
【００４２】
ラベル付与部１３４は、分割部１３２により分割されたチャプター毎に、当該チャプターの種別を示すラベルを付与する。また、付与されるラベルは、上述したラベルに制限するものではなく、番組コンテンツの内容に応じたラベルであればよい。また、本実施の形態のラベル付与部１３４は、番組コンテンツのジャンルに応じて、適したラベルの付与を行う。例えば、番組コンテンツのジャンルが「音楽」の場合に、「音楽」と、「中継」と、「ＣＭ」とによるラベル付与を行う。
【００４３】
また、ラベル付与部１３４により「重複」というラベルが付与される場合がある。これは、番組コンテンツにおいて、「ＣＭ」を挟んで同一のシーンが重複放送されることがある。そこで、本実施の形態においては、重複しているシーンが検出された場合、分割部１３２が、当該シーンをチャプター分割し、ラベル付与部１３４が分割された当該チャプターに対して「重複」というラベルを付与する。
【００４４】
記録部１３５は、チャプターの種別に応じて分割された番組コンテンツを、記録装置１２５に録画する。また、ラベルは、番組コンテンツの各チャプターと対応付けて記録される。図６は、番組コンテンツのチャプターと、各チャプターを示すラベルと、を管理するテーブル構造の例を示した図である。図６に示すように、記録装置１２５が保持するテーブルにおいて、番組ＩＤと、チャプターＩＤと、番組タイトルと、ジャンルと、時間と、ラベルと、を対応付けて記憶する。このように、番組コンテンツから分割されたチャプターには、チャプターを示すラベルが付与されているため、チャプター分割の種別に応じた再生を行うことができる。
【００４５】
ジャンルは、ジャンル取得部１３３が取得した、番組のジャンルとする。番組ＩＤは、番組コンテンツ毎に設定されたユニークなＩＤとする。チャプターＩＤは、番組コンテンツに含まれるチャプター毎に設定されたＩＤとする。ラベルは、ラベル付与部１３４により付与された各チャプターのラベルとする。
【００４６】
再生部１３６は、ユーザから番組コンテンツの再生指示を受付制御部１３１が受け付けた場合、記録装置１２５から読み出して当該番組コンテンツの再生制御を行う。再生部１３６は、ユーザからの操作に応じて、チャプター分割の種別と対応付けられたチャプターで構成された映像を連続的に再生する制御と、番組コンテンツ全てを連続的に再生する制御と、を切り替える。なお、チャプター分割の種別と対応付けられたチャプターで構成された映像とは、当該チャプター分割の種別に対応するラベル（例えば「本編」など）が付与されたチャプターで構成された映像を意味する。例えば、チャプター分割の種別が「自動」であれば、再生部１３６は、「ＣＭ」及び「重複」以外のラベルが付与されたチャプターの映像を連続的に再生制御する。
【００４７】
表示制御部１３７は、ＯＳＤ信号生成部１１４を制御して、設定画面や、再生制御バナーの表示制御を行う。
【００４８】
図７は、表示制御部１３７が表示する、記録装置１２５に記録された番組コンテンツの一覧画面の例を示した図である。図７に示す例では、表示制御部１３７は、チャプター分割がなされた番組コンテンツには、チャプター分割がなされたことを示すアイコン７０１を表示する。また、表示されるアイコンは、上述したチャプター分割の種類に応じて、異ならせる。例えば、表示制御部１３７は、チャプター分割の種別、例えば「自動」、「本編」、「音楽」毎に、当該種別を示すアイコンを表示する。これらアイコンの態様は、ユーザが種別の違いを認識できればよいものとする。
【００４９】
図７に示す一覧画面では、録画された番組コンテンツが、日付けの新しい番組順に全てを表示される。そして、一覧画面でカーソル選択された番組コンテンツについて、左側欄に、ジャンル、録画チャンネル、録画日時、ＨＤであることを示すアイコン、ダビング情報、及び番組のプレビューが表示される。
【００５０】
そして、受付制御部１３１が、ユーザから、チャプター分割のなされた番組コンテンツの選択を受け付け、リモコンの「決定」ボタンの押下を受け付けた場合、再生部１３６は通常の再生を行う。一方、リモコンの「青」ボタンに自動再生７０２が設定されている。このため、受付制御部１３１が、リモコンの「青」ボタンの押下を受け付けた場合に、再生部１３６は、所定の基準に従って抽出されたチャプターのみ再生する（以下、自動再生とも称す）。
【００５１】
また、リモコンの「緑」ボタンにチャプター一覧７０３が設定されている。このため、受付制御部１３１が、リモコンの「緑」ボタンの押下を受け付けた場合に、表示制御部１３７は、番組コンテンツのチャプター一覧画面を表示する。
【００５２】
図８は、表示制御部１３７が表示するチャプター一覧画面を示した図である。図８に示すように、表示制御部１３７は、チャプター一覧画面において、分割されたチャプター毎に、付与されたアイコンを、対応付けて表示する。図８に示す例では、「音楽」、「中継」、「ＣＭ」、「重複」などのラベルが、各チャプターに対応付けて表示されている。
【００５３】
そして、再生部１３６は、このようにチャプター分割された番組コンテンツの再生制御を行う。図９は、再生部１３６が、チャプター分割された番組コンテンツに対して、通常通りの再生を行った場合の画面例を示した図である。図９に示す例では、番組コンテンツが、１０個のチャプターに分割された例とする。そして、再生部１３６が動画コンテンツを再生している際に、表示制御部１３７が、再生制御バナー９０１内に、再生対象である合計チャプター数と、１０個のチャプターの合計時間「０１：００：００」と、番組コンテンツの合計時間を示すバーと、を表示する。当該バーは、分割された各チャプターを表示する。
【００５４】
また、再生部１３６は、リモコンの「青」ボタンの押下を受け付けた場合に、ラベルに従って抽出されたチャプターのみ（自動）再生する。このような自動再生において、抽出するチャプターとしては、例えば、「ＣＭ」と「重複」以外のラベルが付与されたチャプターのみ再生することが考えられる。
【００５５】
図１０は、再生部１３６が、チャプター分割された番組コンテンツに対して、「ＣＭ」と「重複」以外のチャプターのみ再生を行った場合の画面例を示した図である。図１０に示す例では、「ＣＭ」と「重複」以外のチャプターとして、合計７個のチャプターが再生される。そして、表示制御部１３７は、再生制御バナー１００１内に、再生対象である合計チャプター数と、７個のチャプターの合計時間「００：５１：００」と、番組コンテンツの７個のチャプターの合計時間を示すバーと、を表示する。このように、表示制御部１３７は、再生制御バナーのコンテンツ長として、「ＣＭ」と「重複」のチャプター長を含めず、再生の対象であるチャプターの合計長を表示する。これにより、ユーザは、実際に参照する時間を視覚的に把握できる。
【００５６】
また、再生部１３６は、別の基準に基づいて抽出されたチャプターのみを再生してもよい。この基準の例としては、ジャンルが「音楽」の番組コンテンツにおいて、「音楽」のラベルが付与されたチャプターのみを抽出することが考えられる。
【００５７】
図１１は、再生部１３６が、チャプター分割された番組コンテンツに対して、「音楽」というラベルが付与されたチャプターのみ再生を行った場合の画面例を示した図である。図１１に示す例では、ラベル「音楽」が付与されたチャプターとして、合計４個のチャプターが再生される。そして、表示制御部１３７は、再生制御バナー１１０１内に、再生対象である合計チャプター数と、４個のチャプターの合計時間「００：２６：００」と、番組コンテンツの４個のチャプターの合計時間を示すバーと、を表示する。このように、表示制御部１３７は、再生制御バナーのコンテンツ長として、音楽以外のチャプター長を含めず、音楽のチャプターの合計長を表示する。これにより、ユーザは、実際に参照する時間を視覚的に把握できる。
【００５８】
また、再生部１３６による通常の番組コンテンツの再生中に、チャプターの分割や、チャプターの結合などの制御を受け付けてもよい。図１２は、再生部１３６による番組コンテンツの再生中に、再生制御バナーにおいて、チャプターの分割、及びチャプターの結合の操作を、受付制御部１３１が、受け付ける例を示した図である。図１２に示す画面例では、受付制御部１３１が、リモコンの「青」ボタンの押下を受け付けた場合に、分割部１３２が、現在再生しているポイントを分割点として、チャプター分割を行う。この際、分割された各チャプターのラベルとして、分割前のラベルが付与される。また、図１２に示す画面例では、受付制御部１３１が、リモコンの「赤」ボタンの押下を受け付けた場合に、分割部１３２が、現在再生しているチャプターと、その前のチャプターとを結合する。この際、前方のチャプターのラベルを、結合後のチャプターのラベルとして付与される。
【００５９】
また、再生部１３６が、自動再生している場合に、受付制御部１３１が、チャプターの結合又は分割を受け付けた場合には、通常再生に切り替えた上で、チャプターの結合や分割を行うことにしてもよい。また、再生部１３６が、自動再生している場合、受付制御部１３１は、チャプターの結合操作を受け付けることを禁止にする制御を行ってもよい。
【００６０】
また、再生部１３６が、自動再生している場合に、表示制御部１３７が、チャプターとチャプターとの間の不連続ポイントにおいて、チャプターが分割されている旨の表示を行ってもよい。
【００６１】
また、再生部１３６が、自動再生している場合に、時間スキップを行う場合、受付制御部１３１が、不連続ポイントを挟んで、指定の時間ジャンプを行う操作を受け付けた場合に、抽出されなかったチャプターを考慮せず、抽出されたチャプターによる経過時間に従って時間ジャンプを行えばよい。また、他の手法としては、自動再生を解除した上で、時間ジャンプを行ってもよい。
【００６２】
また、再生部１３６が、レジューム再生で自動再生を行う際に、レジュームポイントが抽出されなかったチャプター内（例えば、重複や、ＣＭ）の場合には、これらよりチャプター番号が大きく、所定の基準に従って抽出されたチャプター（例えば本編）の先頭から再生する。
【００６３】
また、チャプターの編集は、再生中の編集に制限するものではなく、チャプター編集画面において、編集を受けつけてもよい。図１３は、表示制御部１３７が表示する、チャプター編集画面の例を示した図である。図１３に示すチャプター編集画面においては、受付制御部１３１は、チャプター分割、チャプターの結合、チャプター情報（例えばラベル）削除、等の編集操作を受けつける。
【００６４】
次に、本実施の形態にかかるデジタル放送受信装置１００における、放送信号受信時の処理について説明する。図１４は、本実施の形態にかかるデジタル放送受信装置１００における上述した処理の手順を示すフローチャートである。図１４に示す例では、番組録画時のチャプター分割の自動設定がなされているものとする。
【００６５】
まず、チューナ１０２、１０７が、放送信号に含まれている番組コンテンツを受信する（ステップＳ１４０１）。そして、受信した放送信号は、チューナ１０２、１０７から、信号処理部１０５までの間に様々な処理が行われる。
【００６６】
そして、信号処理部１０５による処理が行われた後の番組コンテンツに対して、検出部１３８が、番組のシーンの変わり目を検出したか否か判定する（ステップＳ１４０２）。変わり目を検出しなかった場合に（ステップＳ１４０２：Ｎｏ）、ステップＳ１４１５の処理まで進む。
【００６７】
一方、検出部１３８が、番組のシーンの変わり目を検出した場合（ステップＳ１４０２：Ｙｅｓ）、分割部１３２が、当該変わり目でチャプターを分割する（ステップＳ１４０３）。そして、チャプター分割が行われた後、ラベル付与部１３４は、検出されたシーンが本編であるか否かを判別する（ステップＳ１４０４）。本編であるか否かの判断は、番組コンテンツのジャンルを考慮した上で判断する。具体的な判断手法としては、周知の手法を問わず、あらゆる手法を用いてよい。
【００６８】
ラベル付与部１３４は、検出されたシーンが本編であると判別した場合（ステップＳ１４０４：Ｙｅｓ）、当該シーンを示すチャプターのラベルとして、「本編」を設定する（ステップＳ１４０５）。
【００６９】
ラベル付与部１３４は、検出されたシーンが本編ではないと判別した場合（ステップＳ１４０４：Ｎｏ）、検出されたシーンがＣＭであるか否かを判別する（ステップＳ１４０６）。ＣＭであるか否かの判断基準としては、周知の手法を問わず、あらゆる手法を用いてよい。
【００７０】
ラベル付与部１３４は、検出されたシーンがＣＭであると判別した場合（ステップＳ１４０６：Ｙｅｓ）、当該シーンを示すチャプターのラベルとして、「ＣＭ」を設定する（ステップＳ１４０７）。
【００７１】
ラベル付与部１３４は、検出されたシーンがＣＭではないと判別した場合（ステップＳ１４０６：Ｎｏ）、当該番組コンテンツのジャンルが「音楽」の場合に、検出されたシーンが音楽であるか否かを判別する（ステップＳ１４０８）。
【００７２】
ラベル付与部１３４は、検出されたシーンが音楽であると判別した場合（ステップＳ１４０８：Ｙｅｓ）、当該シーンを示すチャプターのラベルとして、「音楽」を設定する（ステップＳ１４０９）。
【００７３】
ラベル付与部１３４は、当該番組コンテンツのジャンルが「音楽」でない、又は検出されたシーンが音楽ではないと判別した場合（ステップＳ１４０８：Ｎｏ）、検出されたシーンが中継であるか否かを判別する（ステップＳ１４１０）。なお、中継であるか否かの判断基準としては、周知の手法を問わず、あらゆる手法を用いてよい。
【００７４】
ラベル付与部１３４は、検出されたシーンが中継であると判別した場合（ステップＳ１４１０：Ｙｅｓ）、当該シーンを示すチャプターのラベルとして、「中継」を設定する（ステップＳ１４１１）。
【００７５】
ラベル付与部１３４は、検出されたシーンが中継ではないと判別した場合（ステップＳ１４１０：Ｎｏ）、検出されたシーンが、他のシーンと重複しているか否かを判別する（ステップＳ１４１２）。
【００７６】
ラベル付与部１３４は、検出されたシーンが他のシーンと重複していると判別した場合（ステップＳ１４１２：Ｙｅｓ）、当該シーンを示すチャプターのラベルとして、「重複」を設定する（ステップＳ１４１３）。
【００７７】
ラベル付与部１３４は、検出されたシーンが他のシーンと重複していないと判別した場合（ステップＳ１４１２：Ｎｏ）、当該シーンを示すチャプターのラベルとして、「その他」を設定する（ステップＳ１４１４）。
【００７８】
その後、記録部１３５が、記録装置１２５に対して、番組コンテンツを録画し、当該番組コンテンツに関する情報を記録する（ステップＳ１４１５）。これら録画及び記録は、チャプター分割が行われたか否かに拘わらず行われる。また、番組コンテンツに関する情報は、付与されたラベル等とする。
【００７９】
そして、ＣＰＵ１３０が、番組コンテンツの受信が終了したか否かを判別する（ステップＳ１４１６）。終了していないと判別した場合（ステップＳ１４１６：Ｎｏ）、ステップＳ１４０１から処理を開始する。
【００８０】
一方、ＣＰＵ１３０が、番組コンテンツの受信が終了したと判定した場合（ステップＳ１４１６：Ｙｅｓ）、処理を終了する。以上の処理により、番組コンテンツの各チャプターに自動的にラベリングされて記録される。
【００８１】
次に、本実施の形態にかかるデジタル放送受信装置１００における、番組コンテンツの再生処理について説明する。図１５は、本実施の形態にかかるデジタル放送受信装置１００における上述した処理の手順を示すフローチャートである。図１５は、図１４において、チャプターが自動設定された番組コンテンツを再生する場合の例を示している。
【００８２】
まず、受付制御部１３１が、番組コンテンツの再生操作を受け付ける（ステップＳ１５０１）。次に、再生部１３６が、受け付けた再生操作が、自動再生であるか否かを判別する（ステップＳ１５０２）。自動再生ではないと判別した場合（ステップＳ１５０２：Ｎｏ）、再生部１３６は、通常通り、番組コンテンツに含まれる全チャプターを順に再生して（ステップＳ１５０３）、処理を終了する。
【００８３】
一方、再生部１３６が、自動再生であると判別した場合（ステップＳ１５０２：Ｙｅｓ）、再生部１３６は、記録装置１２５から、再生する番組コンテンツに含まれている各チャプターのラベルを検索する（ステップＳ１５０４）。そして、再生部１３６は、再生順が次のチャプターにラベルが付与されているか否か判別する（ステップＳ１５０５）。ラベルが付与されていないと判別した場合（ステップＳ１５０５：Ｎｏ）、ステップＳ１５０８の処理まで進む。
【００８４】
また、再生部１３６が、ラベルが付与されていると判別した場合（ステップＳ１５０５：Ｙｅｓ）、当該ラベルが抽出対象であるか否か、換言すれば、再生するチャプター分割の種別に、当該チャプターのラベルが含まれているか否かを判別する（ステップＳ１５０６）。抽出対象となるラベルは、チャプター分割の種別によって異なる。例えば、チャプター分割の種別が「本編」の場合、抽出対象となるラベルは「本編」であり、種別が「音楽」の場合、ラベルは「音楽」であり、種別が「シーン」の場合、ラベルは「シーン」となり、種別が「自動」の場合、ラベルは「ＣＭ」、「重複」以外とする。そして、再生部１３６が、抽出対象でないと判別した場合（ステップＳ１５０６：Ｎｏ）、ステップＳ１５０８の処理まで進む。
【００８５】
一方、再生部１３６は、抽出対象のラベルであると判別した場合（ステップＳ１５０６：Ｙｅｓ）、当該ラベルと対応付けられたチャプターの映像を再生する（ステップＳ１５０７）。
【００８６】
その後、再生部１３６は、番組コンテンツが終了したか否かを判別する（ステップＳ１５０８）。再生部１３６は、終了していないと判別した場合（ステップＳ１５０８：Ｎｏ）、ステップＳ１５０４から処理を開始する。一方、番組コンテンツが終了したと判別した場合（ステップＳ１５０８：Ｙｅｓ）、処理を終了する。
【００８７】
以上の処理により、デジタル放送受信装置１００で、番組コンテンツを再生する時、チャプター分割の種別に対応するチャプターで構成された映像を、連続再生することが可能となる。
【００８８】
また、本実施の形態のデジタル放送受信装置１００において、受信時にチャプター分割しなかった番組コンテンツに対して、受付制御部１３１が、ユーザからのチャプター分割する旨の操作を受け付けた場合に、分割部１３２が自動的にチャプター分割を行ってもよい。
【００８９】
また、本実施形態とは異なるが、デジタル放送受信装置１００において、番組コンテンツを録画する際に、自動再生するよう設定してもよい。これにより、デジタル放送受信装置１００において、受付制御部１３１が、番組コンテンツを再生する操作を受け付けるだけで、再生部１３６が、自動再生を行う。これにより、ユーザの操作負担を軽減できる。また、このような設定が行われた場合、表示制御部１３７が、番組コンテンツの一覧画面を表示する際に、当該設定がなされた番組コンテンツに対して、各自動再生を示すアイコンを表示する。その際、表示制御部１３７は、再生するチャプターを示すアイコンを表示する。アイコンとしては、「本編」、「音楽」などの文字が表されたアイコンとする。他には、「ＣＭ」などの文字が表されていてもよい。
【００９０】
本実施の形態にかかるデジタル放送受信装置１００では、上述した構成を備えることで、ユーザの操作負担なく（例えば、チャプター分割のための操作や、特殊な再生を行うための操作を行うことなく）、ユーザの所望するチャプターのみ抽出された番組コンテンツを表示（例えば、ＣＭを飛ばした番組コンテンツの再生）することができる。これにより、デジタル放送受信装置１００では、ユーザに対して、そもそも最初から不要なシーンが取り除かれているような、番組コンテンツの操作感と再生とを提供することができる。これにより、番組コンテンツの快適な視聴を提供することができる。
【００９１】
本実施形態のデジタル放送受信装置１００で実行される放送録画プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００９２】
また、本実施形態のデジタル放送受信装置１００で実行される放送録画プログラムを、インターネット等のネットワークに接続されたコンピュータ上に格納し、ネットワーク経由でダウンロードさせることにより提供するように構成しても良い。また、本実施形態のデジタル放送受信装置１００で実行される放送受信プログラムをインターネット等のネットワーク経由で提供または配布するように構成しても良い。
【００９３】
また、本実施形態の放送録画プログラムを、ＲＯＭ等に予め組み込んで提供するように構成してもよい。
【００９４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００９５】
１００  デジタル放送受信装置
１２５  記録装置
１３０  ＣＰＵ
１３１  受付制御部
１３２  分割部
１３３  ジャンル取得部
１３４  ラベル付与部
１３５  記録部
１３６  再生部
１３７  表示制御部
１３８  検出部
【図１】
2011223471.tif 000003
【図２】
2011223471.tif 000004
【図３】
2011223471.tif 000005
【図４】
2011223471.tif 000006
【図５】
2011223471.tif 000007
【図６】
2011223471.tif 000008
【図７】
2011223471.tif 000009
【図８】
2011223471.tif 000010
【図９】
2011223471.tif 000011
【図１０】
2011223471.tif 000012
【図１１】
2011223471.tif 000013
【図１２】
2011223471.tif 000014
【図１３】
2011223471.tif 000015
【図１４】
2011223471.tif 000016
【図１５】
2011223471.tif 000017
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
録画予約と、当該録画予約の対象となる番組データのジャンルに対応するチャプター分割の手法の選択と、を受け付ける受付手段と、
前記録画予約を受け付けた前記番組データの本編を、前記ジャンルに対応する前記チャプター分割の手法に従って分割して録画する録画手段と、
を備えることを特徴とする放送録画装置。
【請求項２】
前記受付手段は、ＥＰＧ(Electronic  Program  Guide)からの番組予約を受け付けること、
を特徴とする請求項１に記載の放送録画装置。
【請求項３】
前記チャプター分割の手法は、番組データのチャプターとして音楽、又はシーンのうちいずれか一つ以上に分割すること、
を特徴とする請求項１又は２に記載の放送録画装置。
【請求項４】
前記チャプター分割の手法が判別可能なアイコンを、前記番組データと対応付けた番組一覧情報を表示する表示手段を、さらに備えること、
を特徴とする請求項１乃至３のいずれか一つに記載の放送録画装置。
【請求項５】
前記番組データの再生指示を受け付けた場合、当該番組データについて、前記チャプター分割の手法に対応付けられたチャプターで構成された映像を連続的に再生する再生手段、をさらに備えることを特徴とする請求項１乃至４のいずれか一つに記載の放送録画装置。
【請求項６】
前記再生手段は、さらに、前記番組データについて、前記チャプター分割の手法に従って分割されたチャプターから、当該手法に応じた基準で抽出されたチャプターを再生するか否かの切り替えが可能であること、
を特徴とする請求項５に記載の放送録画装置。
【請求項７】
前記録画手段は、前記番組データのジャンルが音楽の場合、さらに、前記録画予約を受け付けた前記番組データの本編に含まれている楽曲を検出し、当該番組データの本編を、楽曲であるか否かに従って分割して録画すること、
を特徴とする請求項１乃至６のいずれか一つに記載の放送録画装置。
【請求項８】
受付手段が、録画予約と、当該録画予約の対象となる番組データのジャンルに対応するチャプター分割の手法の選択と、を受け付ける受付ステップと、
録画手段が、前記録画予約を受け付けた前記番組データの本編を、前記ジャンルに対応する前記チャプター分割の手法に従って分割して録画する録画ステップと、
を含むことを特徴とする放送録画方法。
【請求項９】
再生手段が、前記番組データの再生指示を受け付けた場合、当該番組データについて、前記チャプター分割の手法に対応付けられたチャプターで構成された映像を連続的に再生する再生ステップを、さらに含むことを特徴とする請求項８に記載の放送録画方法。
【請求項１０】
録画予約と、当該録画予約の対象となる番組データのジャンルに対応するチャプター分割の手法の選択と、を受け付ける受付ステップと、
前記録画予約を受け付けた前記番組データの本編を、前記ジャンルに対応する前記チャプター分割の手法に従って分割して録画する録画ステップと、
をコンピュータに実行させるための放送録画プログラム。
【請求項１１】
前記番組データの再生指示を受け付けた場合、当該番組データについて、前記チャプター分割の手法に対応付けられたチャプターで構成された映像を連続的に再生する再生ステップを、さらにコンピュータに実行させる請求項１０に記載の放送録画プログラム。
【手続補正２】
【補正対象書類名】明細書
【補正対象項目名】０００７
【補正方法】変更
【補正の内容】
【０００７】
上述した課題を解決し、目的を達成するために、実施形態の放送録画装置は、録画予約と、当該録画予約の対象となる番組データのジャンルに対応するチャプター分割の手法の選択と、を受け付ける受付手段と、前記録画予約を受け付けた前記番組データの本編を、前記ジャンルに対応する前記チャプター分割の手法に従って分割して録画する録画手段と、を備えることを特徴とする。